(57)【要約】【課題】インクジェット記録装置において、装置からのインク回収動作を速やかに実行でき、また、インクを不必要に消費しない回収動作を実行することを可能とする。【解決手段】インクタンクからインク供給経路を介して記録ヘッドにインクを供給し、記録ヘッドから供給されたインクを吐出させるインクジェット記録装置は、インクジェット記録装置において電源オンによる起動時に行われる第１起動時処理と、電源オンによる起動時処理であってインク供給経路からインクを回収する回収動作を含む第２起動時処理と、を制御する制御部と、回収動作を実行する回収動作機構と、を具え、制御部は、第１起動時処理で行われるチェック処理のうち、回収動作に用いる機能に関するチェック処理を実行し、回収動作に用いない機能に関するチェック処理の少なくとも１つを省略するよう第２起動時処理を制御する。【選択図】図５
2018134834.tif 000002
【特許請求の範囲】
【請求項１】
インクタンクからインク供給経路を介して記録ヘッドにインクを供給し、記録ヘッドから供給されたインクを吐出させるインクジェット記録装置であって、
前記インクジェット記録装置において電源オンによる起動時に行われる第１起動時処理と、電源オンによる起動時処理であって前記インク供給経路からインクを回収する回収動作を含む第２起動時処理と、を制御する制御手段と、
前記回収動作を実行する回収動作手段と、
を具え、前記制御手段は、前記第１起動時処理で行われるチェック処理のうち、前記回収動作に用いる機能に関するチェック処理を実行し、前記回収動作に用いない機能に関するチェック処理の少なくとも１つを省略するよう前記第２起動時処理を制御することを特徴とするインクジェット記録装置。
【請求項２】
前記第２起動時処理には、メモリのデータ消去処理がさらに含まれ、前記制御手段は、前記第１起動時処理で行われるチェック処理のうち、前記回収動作に加え、前記データ消去処理に用いる機能に関するチェック処理を実行するよう前記第２起動時処理を制御することを特徴とする請求項１に記載のインクジェット記録装置。
【請求項３】
前記回収動作は、前記インク供給経路と前記記録ヘッドからインクを排出する動作であることを特徴とする請求項１または２に記載のインクジェット記録装置。
【請求項４】
前記第２起動時処理で実行するチェック処理には、前記インクジェット記録装置に記録ヘッドが装着されているか否かをチェックする処理が含まれることを特徴とする請求項１ないし３のいずれか１項に記載のインクジェット記録装置。
【請求項５】
前記第２起動時処理で実行するチェック処理には、前記記録ヘッドのノズルを介してインクを吸引する回復装置をチェックする処理が含まれることを特徴とする請求項１ないし４のいずれか１項に記載のインクジェット記録装置。
【請求項６】
前記第２起動時処理で実行するチェック処理には、前記記録ヘッドが前記回復装置によって前記インクを吸引する位置に位置するか否かをチェックする処理が含まれることを特徴とする請求項５に記載のインクジェット記録装置。
【請求項７】
前記インク供給経路はサブタンクと接続し、前記インクタンクから前記サブタンクと前記インク供給経路を介して記録ヘッドにインクが供給され、前記回収動作では、前記インク供給経路のインクとともに、前記サブタンクのインクも回収されることを特徴とする請求項１ないし６のいずれか１項に記載のインクジェット記録装置。
【請求項８】
前記制御手段は、前記第２起動時処理では、前記第１起動時処理における記録媒体の初期位置のチェック処理、センサのチェック処理、回収されたインクを収容するタンクのチェック処理、インク残量のチェック処理を実行しないよう制御することを特徴とする請求項１ないし７のいずれか１項に記載のインクジェット記録装置。
【請求項９】
前記制御手段は、前記第２起動時処理では、チェック処理の結果としてのエラーの検知にかかわらず、当該第２起動時処理を継続するよう制御することを特徴とする請求項１ないし７のいずれか１項に記載のインクジェット記録装置。
【請求項１０】
インクタンクからインク供給経路を介して記録ヘッドにインクを供給し、記録ヘッドから供給されたインクを吐出させるインクジェット記録装置におけるインク回収方法であって、
前記インクジェット記録装置において電源オンによる起動時に行われる第１起動時処理と、電源オンによる起動時処理であって前記インク供給経路からインクを回収する回収動作を含む第２起動時処理と、を制御する制御工程と、
前記回収動作を実行する回収動作工程と、
を有し、前記制御工程では、前記第１起動時処理で行われるチェック処理のうち、前記回収動作に用いる機能に関するチェック処理を実行し、前記回収動作に用いない機能に関するチェック処理の少なくとも１つを省略するよう前記第２起動時処理を制御することを特徴とするインク回収方法。
【発明の詳細な説明】
【技術分野】
【０００１】
本発明は、インクジェット記録装置およびインク回収方法に関し、詳しくは、インクタンクから記録ヘッドまでのインク供給系からインクを回収する技術に関するものである。
【背景技術】
【０００２】
使用していたインクジェット記録装置（以下、単に記録装置とも言う）を別の場所へ輸送するときなどには、インク供給系からインクを回収することが行われている。これにより、例えば、輸送中にインクが漏れないようにすることができる。
【０００３】
このインク回収は、記録装置が備える、例えば、記録ヘッドのノズルを介してインクを吸引する吸引機構を用いて行われる。このようにインク回収に記録装置が備える機構を用いる場合、記録装置の起動時に行われる種々の処理によって、インク回収動作が実行されなかったり、煩雑な処理が必要となりインク回収動作の実行までに時間を要することがある。例えば、起動時には、記録動作を実行するのに必要な種々のチェック処理や初期化処理が行われるが、それらの処理においてエラーが検出されると、そのエラーによってその後の処理が行え得ず、また、エラーの解除のために時間を要することがある。
【０００４】
これに対し、特許文献１には、画像形成装置が、起動モードとして、通常起動モードとセーフモードの２つを有することが記載されている。通常モードは、画像形成装置が提供するすべての機能が動作可能な起動モードで、セーフモードは、機能の一部を動作させて特定の目的のための処理を行う起動モードである。具体的には、セーフモードは、コントローラ、操作部、エンジンのファームウェア更新を行う際にも適用されるモードである。
【先行技術文献】
【特許文献】
【０００５】
【特許文献１】特開２００９−２５９１９７号公報
【発明の概要】
【発明が解決しようとする課題】
【０００６】
しかしながら、特許文献１に開示されるセーフモードは、通常起動モードによる起動が前提であり、それによって起動されたコントローラが再起動（リブート）の要求に応じてセーフモードを起動するものである。このため、特許文献１の場合は、画像形成装置における、通常起動時の種々の処理が行われることになる。一方、特許文献１においては、装置の廃棄時における処理を効率的に実行する点については考慮されていなかった。  本発明の目的は、装置の廃棄時における処理を効率化することが可能なインクジェット記録装置およびインク回収方法を提供することである。
【課題を解決するための手段】
【０００７】
上記目的を達成するために本発明は、インクタンクからインク供給経路を介して記録ヘッドにインクを供給し、記録ヘッドから供給されたインクを吐出させるインクジェット記録装置であって、前記インクジェット記録装置において電源オンによる起動時に行われる第１起動時処理と、電源オンによる起動時処理であって前記インク供給経路からインクを回収する回収動作を含む第２起動時処理と、を制御する制御手段と、前記回収動作を実行する回収動作手段と、を具え、前記制御手段は、前記第１起動時処理で行われるチェック処理のうち、前記回収動作に用いる機能に関するチェック処理を実行し、前記回収動作に用いない機能に関するチェック処理の少なくとも１つを省略するよう前記第２起動時処理を制御することを特徴とする。
【発明の効果】
【０００８】
以上の構成によれば、インクジェット記録装置において、装置からのインク回収動作を速やかに実行でき、また、インクを不必要に消費しない回収動作を実行することが可能となる。
【図面の簡単な説明】
【０００９】
【図１】本発明の一実施形態に係るインクジェット記録装置の構成を示す斜視図である。
【図２】図１に示した実施形態の記録装置におけるインク供給経路を示す図である。
【図３】本発明の一実施形態に係るインクジェット記録装置の制御構成を示すブロック図である。
【図４】本発明の一実施形態に係るインクジェット記録装置の電源キーによる起動時のモードを示すフローチャートである。
【図５】本発明の第１実施形態に係る記録装置における廃棄モードの電源キーによる起動時のモードを示すフローチャートである。
【図６】図５に示すステップＳ５１１の廃棄動作の詳細を示すフローチャートである。
【図７】本発明の第２実施形態に係る廃棄モードにおける、ハードディスクのデータ消去するための処理を示すフローチャートである。
【発明を実施するための形態】
【００１０】
以下、図面を参照して本発明の実施形態を詳細に説明する。
【００１１】
（第１実施形態）
図１は、本発明の一実施形態に係るインクジェット記録装置（以下、単に記録装置とも言う）の構成を示す斜視図である。図１において、キャリッジ３０３には、不図示の記録ヘッドが装着され、キャリッジ３０３が移動することにより、記録ヘッドによる記録媒体に対する走査を行うことができる。そして、この走査の間に記録ヘッドからインクが吐出されることにより、記録媒体に画像などの記録が行われる。記録媒体は、記録ヘッドの上記走査方向に交差する方向に所定量ずつ搬送され、これにより、記録媒体の全体に記録を行うことができる。プラテン３０６は、記録ヘッドの走査領域に対応して設けられ、搬送される記録媒体を裏面から支持する。
【００１２】
キャリッジ３０３の移動範囲の両端それぞれに対応した位置に、インクタンクボックス３０１が設けられる。本実施形態のインクタンクボックス３０１は、それぞれ６つのインクタンク４０１を着脱自在に搭載でき、２つのインクタンクボックス３０１で１２個のインクを搭載することができる。本実施形態では、インクタンク４０１は、図２にて後述されるように、インクタンクボックス３０１に設けられたサブタンク（不図示）に対して装着され、直接にはこのサブタンクに対してインク供給を行う。１２個のインクタンク４０１は、例えば、シアン、マゼンタ、イエロー、色材濃度がより低い淡シアン、同じく淡マゼンタ、ブラック、グレー、ブルー、レッドなどの特色のインクをそれぞれ収容している。記録ヘッドも、これら１２色のインクをそれぞれ吐出するものが装着されている。なお、本発明を適用する上で、インクの色の数やタンクの個数が限定されないことは以下の説明からの明らかである。それぞれのインクタンクボックス３０１は、インク供給チューブ３０２によってキャリッジ３０３に接続している。これにより、それぞれのインクタンク４０１から対応する記録ヘッドにインクを供給することができる。
【００１３】
キャリッジ３０３の移動範囲の一方の端に対応した位置には、回復装置３０４が設けられる。回復装置３０４は、それぞれの記録ヘッドのノズルが設けられた面にキャップをした状態で負圧吸引を行うことができる。これにより、ノズルを介して記録ヘッド内、さらにはインク供給チューブ３０２などのインク供給経路からインクを排出することができる。排出されたインクは、廃インクタンク３０５に回収され、収容される。
【００１４】
図２は、図１に示した本実施形態の記録装置におけるインク供給経路を示す図である。なお、図２は、図示および説明を簡略化するため１つの色のインクタンクおよび記録ヘッドと、それらを接続するインク供給経路を示している。インクタンク４０１はサブタンク４０２に対して着脱自在に装着される。サブタンク４０２とキャリッジ３０３における記録ヘッド４０７とは、供給チューブ３０２によって接続し、これにより、サブタンク４０２から記録ヘッド４０７へインクを供給することができる。インクタンクボックス３０１内には、供給チューブ３０２の経路を開閉する供給弁４０３が設けられる。そして、供給弁モータ４０４の駆動を制御することにより、供給弁４０３を開閉することができる。
【００１５】
記録ヘッド４０７のメンテナンス時には、キャップ４０８を記録ヘッド４０７のノズル配設面に当接させる。そして、この状態で不図示の回復モータによってポンプ４０９を駆動し、キャップ４０８内に負圧を生じさせ、記録ヘッド４０７のノズルを介して記録ヘッド内のインクを排出させる。なお、ポンプ４０９による吸引力または吸引量は、回復処理のモードによって異なり、図６にて後述する廃棄モードでは、最も強力な吸引力または吸引量に設定される。これにより、記録ヘッド内だけでなく、インク供給チューブおよびサブタンクに存在するインクも吸引、排出することが可能となる。通常の回復モードでは、記録ヘッドのノズル内のインクを吸引、排出できる吸引力または吸引量に設定され、これにより、記録ヘッド４０７のノズル内の増粘したインクを除去することができる。記録ヘッドから排出されたインクは廃インクタンク３０５に回収される。
【００１６】
図３は、本発明の一実施形態に係るインクジェット記録装置の制御構成を示すブロック図である。ホストコンピュータ５０１のプリンタドライバは、記録データなどを記録装置５０２に送信する。記録装置５０２は、送信されたデータをハードディスク５０７に保存する。コントローラ部５０３は、記録データを処理し、メモリ（不図示）に適宜格納しながら、記録タイミングに合わせて記録データに基づき記録ヘッド４０７を駆動しインクを吐出させる。コントローラ部５０３は、内蔵するファームウェアに従い、上記記録ヘッドの駆動、操作部５０４、表示パネル・キー５０５に関する制御を行う。また、センサ５０８、ファン５０９、モータ５１０の駆動制御を行う。コントローラ部５０３は、図４、図５にて後述される本実施形態の各モードの制御も実行する。
【００１７】
図４は、本発明の一実施形態に係るインクジェット記録装置の電源キーによる起動時のモードを示すフローチャートであり、電源キーが押されてからホスト装置５０１からの記録データを待機する状態になるまでの処理を示している。詳細には、本実施形態の記録装置における通常の起動環境（第１の起動環境）において電源キーが押されたときの処理を示している。
【００１８】
コントローラ部５０３は、電源キーの押下（ＯＮ；電源オン）を検知すると（Ｓ４０１）、本実施形態の記録装置における各種デバイスとソフトウェアの初期化を行う（Ｓ４０２）、次に、記録装置の駆動部分（エンジン）の状態をチェックする（Ｓ４０３）。ここで、各種デバイスとソフトウェアの初期化（Ｓ４０２）は、メイン基板上のＡＳＩＣの初期化、プログラムのロード、メイン基板上の各種電源供給回路の電圧出力、モータドライバの初期設定動作、表示パネルの初期化動作、各種センサーの初期状態チェック、内蔵ハードディスクの動作チェック、およびメイン基板上のメモリーチェックが含まれる。さらにエンジン状態チェック（Ｓ４０３）のときに、前回の電源ＯＦＦ時の状態チェックを行い、前回の電源ＯＦＦ時に正常に記録ヘッドがキャッピングされていたかをチェックする。仮に、キャッピングされていないと判断した場合、表示パネル上にエラー表示なされ、後述される回復処理が強制的に実施される（Ｓ４１２）。
【００１９】
次に、記録ヘッド／インクタンクのチェックを行う（Ｓ４０４）。ここでは、記録ヘッドやインクタンクの装着状態を確認する。そして、装着が無いことまたは不完全であることを検知した場合、同様に表示パネル上にエラー表示するとともに、ユーザが記録ヘッド／インクタンクチェックの装着状態を正常な状態に戻すまでチェックを行う（Ｓ４１３）。また、給紙系初期化を行う（Ｓ４０５）。ここでは、記録媒体の給紙の初期化、ローラの原点出し、給紙に係わるセンサのチェックを行う。これら給紙の初期化などができていない場合は、表示パネルにエラーを表示し、ユーザが正しい給紙状態に戻したり、紙ジャムなどの解除をして、正常な給紙状態に戻ることをチェックする（Ｓ４１４）。さらに、回復系初期化を行い（Ｓ４０６）、回復系の原点だし、回復系に係わるセンサのチェックを行う。この初期化が不十分な場合は、エラー表示をするとともに、回復系の原点出しなどをチェックする（Ｓ４１５）。さらに、キャリッジ位置初期化を行い（Ｓ４０７）、キャリッジモータの原点出しを行う。原点出しができない場合は、エラー表示をするとともに、修正処理が行われることをチェックする（Ｓ４１６）。さらに、インク残量検知／廃インク検知を行う（Ｓ４０８）。具体的には、各色インクのインクタンク４０１にインクが存在するか否かを検知し、また、廃インクタンク３０５にインクが存在するか否かを、それぞれのセンサによって検知する。これにより、それぞれのインクの有無またはタンクの存在の有無を判断することができる。また、検知動作が正常に行われるか否かを判断することもできる。ここで、正常に検知できない場合は、エラー表示をするとともに、インクタンクの装着などを促す表示を行い、ユーザによる正常に戻す操作をエラーが解除されるまで監視する。
【００２０】
ステップＳ４０８で、上述したインク残量検知および廃インク検知が正常に行われると判断すると、起動時の回復処理を行う（Ｓ４０９）。そして、コントローラ部５０３は、キャリッジを回復装置３０４の位置に移動させ、記録ヘッドのノズル配設面をキャップ４０８で覆うキャッピングを行う（Ｓ４１０）。そして、ホスト装置５０１とオンライン状態とし（Ｓ４１１）、記録動作を待機する。
【００２１】
なお、上述したステップＳ４１２〜Ｓ４１７それぞれのエラー処理で、そのエラーを解除できない異常状態の場合は、表示によってユーザに電源を切るように促す。あるいは、それぞれのエラーのしきい値に基づいて判定する状態に応じて部品交換を促す。また、上述した第１の起動環境におけるＳ４１１のオンライン状態では、記録動作やユーザが選択したメンテナンスを実行することが可能である。
【００２２】
図５は、本発明の第１実施形態に係る記録装置における廃棄モード（第２の起動環境）の電源キーによる起動時のモードを示すフローチャートであり、電源キーと同時に所定のキーを押すことによって起動される処理である。この廃棄モードは、記録装置を別の場所へ輸送するときや、記録装置を長時間使用しないときに、利用可能なモードである。
【００２３】
本処理では、先ず、コントローラ部５０３は、電源キーと同時に特定キーの押下（ＯＮ）を検知すると（Ｓ５０１）、廃棄モードの起動（第２の起動環境）と認識する。そして、コントローラ部５０３は、メイン基板上のＡＳＩＣの初期化、プログラムのロード、メイン基板上の各種電源供給回路の電圧出力、モータドライバの初期設定動作、表示パネルの初期化動作、各種センサーの初期状態チェック、内蔵ハードディスクの動作チェック、およびメイン基板上のメモリーチェックといったデバイス／リソース初期化を行う（Ｓ５０２）。なお、電源キーと特定キーの押下は必ずしも同時である必要はない。例えば、電源キーの押下から比較的短い所定時間後に特定キーが押下されたときに、廃棄モードの起動と認識してもよい。
【００２４】
コントローラ部５０３は、次に、インクタンクの装着状態のチェックを行う（Ｓ５０３）。Ｓ５０３の判定結果は、後述するＳ５１１で使用される。ここで、本モードはインクを廃棄するモードであることから、最終的にインクタンク４０１は記録装置から外す。このため、本判定工程（Ｓ５０３）は、その判断の結果にかかわらず、次の工程に進み処理を継続する。なお、このように判断の可否にかかわらず、次の工程に進む判断工程は、必ずしも本廃棄モードの起動時処理に必要なものではない。このため、この判断工程自体が実行されなくてもよい。後述するステップＳ５０８の判断工程も同様である。
【００２５】
コントローラ部５０３は、次に、記録ヘッドの装着状態を確認する（Ｓ５０４）。本実施形態の廃棄モードでは、記録ヘッドを介してインクの吸引、排出を行うことから、記録ヘッドが装着されていることを確認する。このように、廃棄モードでは、記録ヘッドが装着されていることがないとインクの吸引、排出処理ができないため、この判定工程が必要となる。記録ヘッドが装着されていないと判断すると、廃棄動作２を行う（Ｓ５１２）。この廃棄動作２は、表示パネル５０５にインクタンクを外すことを促す旨、およびプリンタ内部にインクが残っている旨を表示する処理である。ユーザは、この表示によって、サブタンクやインク供給経路にインクが残っている可能性があることを知ることができ、例えば、手動でインク供給経路などからインクを排出する操作を行うことができる。なお、本工程では、記録ヘッドの装着の有無の他、記録ヘッドにおけるノズルの吐出不良の有無を判断してもよい。但し、記録ヘッドの一部のノズルに不吐出などの吐出不良があると判断される場合、後述するステップ５１２の廃棄動作では、残りのノズルを介してインクを吸引、排出できることから、次のステップＳ５０５に進む。
【００２６】
コントローラ部５０３は、次に、回復装置３０４が正常に動作するか否かを判断する（Ｓ５０５）。具体的には、上述した図４のステップＳ４０６と同様の判断を行う。この判断工程も、本実施形態の廃棄モードが、記録ヘッドを介した回復動作を利用して、インクの排出を行うことから、回復装置が正常に動作できるか否かの確認が必要となる。正常動作ができないと判断すると、上述した廃棄動作２を行う（Ｓ５１２）。
【００２７】
コントローラ部５０３は、次に、キャリッジ位置が初期化されているか否かの判断を行う（Ｓ５０６）。具体的には、キャリッジ位置が、キャリッジを駆動するモータが記録ヘッドの回復処理を行う位置である、モータ回転の原点であるか否かを判断する。本実施形態の廃棄モードにおいて、記録ヘッドを回復装置３０４の位置に位置させ、キャップ４０８を当接させた回復動作を利用して、インクの排出が行われる。そのため、キャリッジ位置がその初期位置である回復装置３０４に対応する位置に位置するか否かの確認が必要となる。この判断で、キャリッジ位置が原点に対応する位置にあると判断できていない場合は、回復装置３０４の位置までキャリッジを移動させることを促す旨の表示を行う（Ｓ５０７）。この表示によって、ユーザが手動でキャリッジを移動させたことを検知すると（Ｓ５０６）、ステップＳ５０８に進む。
【００２８】
次のステップＳ５０８では、記録ヘッドに対してキャップ４０８によってキャッピングを行い、スタンバイ状態になる。図４に示した第１の起動環境の起動によるオンライン状態での待機（Ｓ４１１）と異なり、スタンバイでは、記録動作は受け付けない。
【００２９】
次に、表示パネル５０５に、廃棄処理モードを実行するか否かを表示し、ユーザに選択させる（Ｓ５０９）。誤って第２の起動環境を起動したユーザはここでキャンセルをすることができる（Ｓ５１０）。廃棄処理モードの実行が選択されると、廃棄動作を実行し（Ｓ５１１）、処理終了後に電源をオフとする（Ｓ５１３）。なお、Ｓ５１１において、Ｓ５０３の判定結果を使用する例について説明する。例えば、Ｓ５０３の判定結果が「インクタンクチェックが存在する」であった場合、供給チューブ３０２にインクが残っている可能性が高い。そのため、Ｓ５１１において、コントローラ部５０３は、供給チューブ３０２のインクの破棄動作を行う。一方、Ｓ５０３の判定結果が「インクタンクチェックが存在しない」であった場合、供給チューブ３０２にインクが残っている可能性が低い。そのため、Ｓ５１１において、コントローラ部５０３は、供給チューブ３０２のインクの破棄動作を行わない。なお、廃棄モードが有効かされた廃棄動作が実行された後、その装置においては印刷処理が行われない。そのため、コントローラ部５０３は、印刷に必要な処理（例えば、Ｓ４０５の給紙系初期化動作、パワーＯＮ自動回復動作）を廃棄モードにおいて省略することで廃棄モードの廃棄動作を効率的に行うことができる。
【００３０】
図６は、図５に示すステップＳ５１１の廃棄動作の詳細を示すフローチャートである。廃棄動作が開始されると（Ｓ６０１）、先ず、表示パネル５０５にユーザにインクタンクを外すことを促す旨の表示を行う（Ｓ６０２）。インクタンク４０１が外されると、回復モータによってポンプ４０９を駆動して、サブタンク４０２、インク供給チューブ３０２，および記録ヘッド４０７内のインクを吸引し（Ｓ６０３）、廃インクタンク３０８にインクを回収、収容する。その後、キャップ４０８に設けられた気圧調整用の大気弁（不図示）を開け（Ｓ６０４）、キャップ内に大気圧を導入した状態で、再び吸引する（Ｓ６０５）。これにより、キャップ内のインクも廃インクタンク３０８に回収、収容することができる。
【００３１】
以上説明した第２の起動環境での本起動処理では、基本的に、上述した、ステップＳ５０４、Ｓ５０５、Ｓ５０６の判定工程のみを行い、その他の図４に示した判定工程は行わない。すなわち、記録ヘッドを介したインクの排出に必要な機能の判断のみを行う。これにより、通常起動によってチェック処理や初期化処理が行われて、エラーによってインクの排出動作が実行されなかったり、インクの排出動作を実行するまでに時間を要したりすることを防止できる。  なお、上述した処理におけるステップＳ５０１で用いる特定キーについて説明する。特定キーとは、起動後には各々「メニューキー」、「用紙交換キー」などの用途が割り当てられているが、電源キーと同時に押される起動時に限り前述の用途とは別に第２起動環境を起動させるために割り当てたキーのことである。このキーは、１つでも複数キーでもよい。さらに、廃棄モード（第２の起動環境）では、記録ヘッド４０７にインクが無い場合、インクを記録ヘッドへ供給せず、また、メンテナンスをしないで起動処理を終了する。
【００３２】
本実施形態によれば、コントローラ部５０３は、廃棄モードが有効化された場合、印刷に関わるチェック処理（例えば、Ｓ４０５の給紙系初期化動作、パワーＯＮ自動回復動作）を省略して、廃棄動作を実行できる。つまり、回収動作に用いない機能に関するチェック処理を省略できる。その結果、廃棄モードにおける廃棄動作の処理を効率的に行うことが可能となる。なお、廃棄モードが有効化された場合、印刷に関わる全てのチェック処理を省略する必要はなく少なくとも１つのチェック処理が省略されれば良い。
【００３３】
（第２実施形態）
本発明の第２実施形態は、起動時の処理としての廃棄モードにおいて、インク廃棄に加え、ハードディスクのデータ消去処理を行う形態に関する。図７は、本発明の第２実施形態に係る廃棄モードにおける、ハードディスクのデータ消去するための処理を示すフローチャートである。図５に示した処置における工程と同様の工程には同じ番号を付してその説明を省略する。インクを廃棄することがユーザによって選択されると（Ｓ５０９）、次に、ハードディスクのデータも消去するか否かを確認する（Ｓ７０９）。インク廃棄とハードディスクのデータ消去が選択されると、ステップＳ５１２で、インクの廃棄動作ととともに、ハードディスクのデータの消去を行う。ステップＳ７０９で、ユーザがデータの消去を選択しない場合は、廃棄モードをキャンセルして電源をオフとする（Ｓ５１０）。
【００３４】
この形態は、記録装置を破棄する際に有効である。すなわち、ハードディスクのデータの消去が行われることにより、記録装置を用いていたときのデータが不用意に公になるなどの弊害を未然に防止することができる。なお、ハードディスクのデータを消去するには、モータやセンサが動作する必要はない。ハードディスクデータ消去のキーを受け付けるコントローラ部とハードディスクの間でコマンドのやりとりができれば実現可能である。
【００３５】
（他の実施形態）
以上説明した実施形態は、記録装置内のインクを廃棄するために、装置内からインクを排出するものとしたが、本発明の適用はこの形態に限られない。例えば、記録装置から排出したインクを所定の容器に収容し、それを記録装置において再使用するようにしてもよい。本明細書では、インクの回収は、インクの廃棄およびインクの再使用のためのインクの回収の両方を含むものとする。
【００３６】
また、以上説明した実施形態は、ポンプによってキャップ内に負圧を生じさせてインクを回収する形態に関するものであるが、この形態に限られない。例えば、インクタンクを含むインク供給経路の一部を加圧して、記録ヘッドやサブタンクなどの所定の箇所からインクを排出するようにしてもよい。
【符号の説明】
【００３７】
３０１    インクタンクボックス
３０２    インク供給チューブ
３０４    回復装置
３０５    廃インクタンク
４０１    インクタンク
４０２    サブタンク
４０７    記録ヘッド
４０８    キャップ
４０９    ポンプ
５０３    コントローラ
５０５    表示パネル
【図１】
2018134834.tif 000003
【図２】
2018134834.tif 000004
【図３】
2018134834.tif 000005
【図４】
2018134834.tif 000006
【図５】
2018134834.tif 000007
【図６】
2018134834.tif 000008
【図７】
2018134834.tif 000009